(57)【要約】      （修正有）【課題】木舞壁の様に壁厚が薄くとも耐力パネルを設置できるようにした耐力パネル取付金物を提供し、更に軸組構造体の変形に耐力を保ちながら、一定の範囲まで変形できる様に耐力パネルを保持する耐力パネル取付金物を提供する。【解決手段】建築物における壁面内に配置される耐力パネル３１を保持するための金物であって、建築物における壁面の周り又は壁面内に存在する構造体に対して、ビス及び釘を含む締結部材３５で固定される金物取付部と、取付部から曲折して形成された、壁面に対して平行な面であって、ビス及び釘を含む締結部材によって耐力パネルを保持する耐力パネル取付部とからなり、金物取付部及び耐力パネル取付部は、ヤング率が、６．９×１０４Ｎ／ｍｍ２以上、且つ２０×１０４Ｎ／ｍｍ２以下の材料を用いて形成されている耐力パネル取付金物１０，２０とする。【選択図】図４
0003193167.tif 000002
【実用新案登録請求の範囲】
【請求項１】
建築物における壁面内に配置される耐力パネルを保持するための金物であって、
建築物における壁面の周り又は壁面内に存在する構造体に対して、ビス及び釘を含む締結部材で固定される金物取付部と、当該取付部から曲折して形成された、壁面に対して平行な面であって、ビス及び釘を含む締結部材によって耐力パネルを保持する耐力パネル取付部とからなり、
当該金物取付部及び耐力パネル取付部は、ヤング率が、6.9×104 Ｎ/ｍｍ2以上、且つ20×104Ｎ/ｍｍ2以下の材料を用いて形成されていることを特徴とする、耐力パネル取付金物。
【請求項２】
前記金物取付部及び耐力パネル取付部は、厚さ０．８ｍｍ以上、２．０ｍｍ以下に形成されている、請求項１に記載の耐力パネル取付金物。
【請求項３】
前記金物取付部及び耐力パネル取付部には、締結部材を打ち込む孔部が形成されており、耐力パネル取付部に形成されている孔部は、８０ｍｍ以上、１５０ｍｍの間隔で形成されている、請求項１又は２に記載の耐力パネル取付金物。
【請求項４】
前記金物取付部は、長手方向に直交する横断面形状がコ字状であって、前記耐力パネル取付部は、当該コ字状の金物取付部の先端部から外側に曲折して展開している、請求項１〜３の何れか一項に記載の耐力パネル取付金物。
【請求項５】
少なくとも何れかの壁面内に耐力パネルを設置した建築物であって、
前記耐力パネルは、請求項１〜４の何れか一項に記載の金物によって、柱、土台又は貫に固定されている事を特徴とする建築物。
【考案の詳細な説明】
【技術分野】
【０００１】
本考案は建築物の耐震補強などに用いられる耐力パネルを設置する為の金物と、当該金物によって耐力パネルを設置した建築物に関し、特に壁厚が薄い場所でも設置できるようにした耐力パネルを設置する為の金物と、当該金物によって耐力パネルを設置した建築物に関する。
【背景技術】
【０００２】
周知のとおり、住宅その他の建築物には、建物の自重や屋根の積雪などで鉛直方向にかかる荷重と、地震や強風などによる水平方向にかかる荷重に抵抗して建物を支えるための耐力パネルが用いられている。
【０００３】
従来、かかる耐力パネルは、枠体の対角線に筋交いを入れたり、構造用合板を張って補強したものが知られており、最近では、柱同士または柱と間柱との間に出来合いの耐力パネルを嵌め込むことも行われている。
【０００４】
このような耐力パネルの設置技術については、従来から種々提案されている。例えば特許文献１（特開２００８−３０８８２０号公報）では、在来軸組木造建築物をリフォームする際に、耐震補強するための耐力パネル構造が提案されている。即ち、この特許文献１では、在来軸組木造建築物の柱間に構造用合板を止め付けることにより壁倍率を高めた耐力パネル構造として、特殊な構造用面材を用いることなく、一般的な構造用合板により大きな壁倍率が得られ、筋交いが不要で、施工性にも優れた耐力パネル構造を提供するべく、筋交いを用いることなく、厚さ９ｍｍ以上の構造用合板の外周部を、柱、土台、貫等の軸組材に対し１００ｍｍ以下の間隔で、材料規格SWCH18Aまたはこれと同等以上の品質を有するビスにより止め付け、壁倍率を４．０以上となるようにし、軸組材どうしの接合部は補強金物で補強し、必要な強度を得ることが提案されている。
【０００５】
また、特許文献２（特開平０８−３０２８６１号公報）では、耐力パネルとその建築工法に関し、室内面積の減少を生じることがないと共に、壁下地としてプラスターボードを用いることで耐力パネルの強度が高められ、柱間の何れの面からも配管や配線作業を可能とするべく、横幅が柱間、縦幅が土台の木材や桁、貫等の横架材間の寸法と同一寸法に形成された構造用合板の４辺の表裏両面に、４辺材の厚さを加えた厚さが柱の寸法と同一寸法となる４辺材を釘等の締結具で固定して耐力パネルを構成し、この耐力パネルの４辺材を柱や横架材に釘で締結する事が提案されている。
【０００６】
更に、特許文献３（特開平１１−２９３８１７号公報）では、木造建物の軸組構造における構造用耐力パネルであって、改良された強度を有する構造用耐力パネルを提供するべく、構造用面材の片面に周縁部を残して上下横枠材及び左右縦枠材、並びに中間縦枠材を付設した構造用壁パネルの該上下横枠材及び左右縦枠材が軸組の内周に嵌合せられ、かつ、軸組を構成する軸組材に、該構造用壁パネルの前記構造用面材周縁部、並びに、前記上下横枠材及び左右縦枠材が、それぞれ釘打ち固定されてなる構造用耐力パネルが提案されている。
【先行技術文献】
【特許文献】
【０００７】
【特許文献１】特開２００８−３０８８２０号公報
【特許文献２】特開平０８−３０２８６１号公報
【特許文献３】特開平１１−２９３８１７号公報
【考案の概要】
【考案が解決しようとする課題】
【０００８】
前記のとおり、耐力パネルは建築物の耐震補強などの為に使用されていたが、その固定には耐力パネルを柱、土台、貫等の軸組材に対して直接ビス止めしたり、耐力パネルの四辺を固定する木材を用いたり、或いは上下横枠材及び左右縦枠材を介して軸組材に固定することが行われていた。
【０００９】
しかしながら、木材などの枠材を用いて固定する方法の場合には、当該耐力パネルを十分な力で保持する関係上、少なからず一定の幅や大きさに形成されなければならない。よって、耐力パネルを設ける柱間の領域が薄い場合、即ち壁厚が薄い場合には、この耐力パネルを固定する為の木材（枠材）を設置することができなかった。その結果、耐力パネルを設置した場合には、この耐力パネルの外側に設けられる内壁面は、柱よりも突出してしまう事があった。
【００１０】
そこで本考案では、壁厚が薄い領域であって耐力パネルを設置できるようにした耐力パネル取付金物、及びこの金物を使用して耐力パネルを取り付けた建築物を提供することを第１の課題とする。
【００１１】
また、木造軸組建築物に耐力パネルを設置する場合においては、本来、軸組み構造自体は横方向（水平方向）には、一定の範囲で歪み変形することができる能力を持っている。よって、このような軸組構造の建築物に耐力パネルを設置する場合には、横方向（水平方向）の変形に対しては剛性を保つことも重要であるが、一定の剛性を以って面内変形できることが望ましい。何故ならば、軸組み構造自体が持っている一定の範囲で歪み変形しながら、地震力を受ける能力を阻害することなく補強するのが望ましいからである。
【００１２】
そこで本考案では、軸組構造体の変形に際して耐力を保ちながら、一定の範囲まで変形できる様に耐力パネルを保持することのできる耐力パネル取付金物、及びこの金物を使用して耐力パネルを取り付けた建築物を提供することを第２の課題とする。
【００１３】
更に、伝統的な土壁工法の一つとして木舞壁がある。これは木舞で作った下地を芯にして泥にわらを切り込んだ荒壁を厚く塗り、その上に粘土に砂を調合してわらを切り込んだ中塗りをし、その上に漆喰を塗りこんだ上塗りをして形成している。このような木舞壁は柱や貫などとの結合が弱い事から、耐震強度不足が憂慮されていた。一方で、このような木舞壁は、６０ｍｍ角程度の柱間に設けられている事も多く、このような場所に耐力パネルを設置するには、従来の工法では無理であった。
【００１４】
そこで本考案では、既存の木舞壁に対しても耐力パネルを設置できるようにした耐力パネル取付金物、及びこの金物を使用して耐力パネルを取り付けた建築物を提供することを第３の課題とする。
【課題を解決するための手段】
【００１５】
上記課題の少なくとも何れかを解決するべく、本考案では設置する幅が狭く、しかも所定の柔軟性を有する材料で形成した耐力パネル取付金物、及びこの金物を使用して耐力パネルを取り付けた建築物を提供する。
【００１６】
即ち、本考案では、前記課題の少なくとも何れかを解決するべく、建築物における壁面内に配置される耐力パネルを保持するための金物であって、建築物における壁面の周り又は壁面内に存在する構造体に対して、ビス及び釘を含む締結部材で固定される金物取付部と、当該取付部から曲折して形成された、壁面に対して平行な面であって、ビス及び釘を含む締結部材によって耐力パネルを保持する耐力パネル取付部とからなり、当該金物取付部及び耐力パネル取付部は、ヤング率が、6.9×104Ｎ/ｍｍ2以上、且つ20×104Ｎ/ｍｍ2以下の材料を用いて形成されている耐力パネル取付金物を提供する。
【００１７】
この耐力パネル取付金物は、ヤング率が6.9×104Ｎ/ｍｍ2以上、且つ20×104Ｎ/ｍｍ2以下、更に望ましくは、7.5×104 Ｎ/ｍｍ2以上、且つ20×104 Ｎ/ｍｍ2以下の材料で形成するのが望ましい。このようなヤング率を有する材料としては、例えば黄銅（真鍮）が挙げられる。この黄銅（真鍮）であれば、延展性が高く、鉄などと比較しても耐腐食性が優れており、更に製造コストの点でも望ましいものとなる。また、耐力パネルの取付に際してタッピングビスを使用する場合、特に下孔等を設けなくとも、ビスを打ち込むことができる為、作業性が大幅に向上する。
【００１８】
上記のようなヤング率を有する材料を用いて形成することにより、一定の範囲までは、耐力パネルとの一体性を確保して、この耐力パネルによって横方向の変形や歪みに耐えることができる。そして一定以上の力が作用した場合には、耐力パネル取付金物自体が変形することから、横方向の変形や歪みに対して、ある程度追従しながら耐えることができる。その結果、地震などにおける横揺れに対しては、一定の範囲までは応力を保ちながら追従変形することにより耐えることができる。即ち、本考案にかかる耐力パネル取付金物を使用することにより、壁面の耐震強度を高めるだけでなく、変形によるエネルギー吸収効果も期待できる。すなわち、ダンパー効果により制振性能も向上させることができる。
【００１９】
また、この耐力パネル取付金物は、金物取付部及び耐力パネル取付部が、共に厚さ０．８ｍｍ以上、２．０ｍｍ以下に形成するのが望ましい。上記したヤング率を有する材料を用いて、この厚さに形成することにより、例えば既存の木舞壁に対して耐力パネルを設置した場合においても当該木舞壁の耐震補強を実現し、壁面の変形に抗しながらも追従するような状態で耐力パネルを設置することができる。
【００２０】
そして、この耐力パネル取付金物は、建築物における壁面の周り又は壁面内に存在する構造体（即ち、壁の周りに存在する柱、土台、貫、或いはこの壁内に存在する貫など）に対して、ビス及び釘等の締結部材で固定するための金物取付部と、当該取付部から曲折して形成された、壁面に対して平行な面であって、ビス及び釘等の締結部材によって耐力パネルを保持する耐力パネル取付部とを備えて形成される。即ち、この耐力パネル取付金物は、相互に交差する向きに展開する金物取付部及び耐力パネル取付部を備えて構成されている。なお、この金物取付部と耐力パネル取付部との間には曲折部を形成する他、任意に変形可能なように曲折させた緩衝部分を設けることもできる。
【００２１】
また、前記金物取付部には、締結部材を打ち込む孔部を予め形成することができる。このような孔部を形成しておけば、設置作業時における作業性を向上させるだけでなく、更にビスや釘などの設置間隔を一定に保つことができる。この金物取付部に形成する孔部は、８０ｍｍ以上、１５０ｍｍの間隔で形成する事が望ましい。金物取付部に対して孔部を形成しているのは、当該耐力パネル取付金物を構造体に取り付ける締結部材として木ネジを使用することが望ましい為である。一方で、耐力パネル取付部に対しては、必ずしも前記したような孔部を形成する必要性は無い。何故ならば、耐力パネルを表側（室内側）から壁面内に設置する際、耐力パネル取付部は耐力パネルの奥に存在し、孔部を確認できない為である。よって、この場合には、耐力パネル側からタッピングビスを差し込んで、その奥に存在する耐力パネル取付部まで貫通させることにより、当該耐力パネルを固定することができる。
【００２２】
前記耐力パネル取付金物は、前記した要件を備える限りにおいて、様々な形状に形成することができる。例えば、前記金物取付部と耐力パネル取付部とが直交する向きに交わる、断面略Ｌ字状のＬ字型金物として形成したり、また前記金物取付部を、長手方向に直交する横断面形状がコ字状であって、このコ字状の金物取付部の先端部から外側に曲折するように耐力パネル取付部が展開するハット型金物として形成することができる。例えばＬ字型金物であれば、柱や土台に対して耐力パネルを取り付ける為に使用することができ、ハット型金物であれば、貫に対して耐力パネルを取り付ける為に使用することができる。
【００２３】
そして本考案では上記の耐力パネル取付金物を用いて、壁面内に耐力パネルを設けた建築物を提供する。即ち、少なくとも何れかの壁面内に耐力パネルを設置した建築物であって、前記耐力パネルは、上記した本考案にかかる耐力パネル取付金物によって、柱、土台又は貫に固定されている事を特徴とする建築物である。
【００２４】
かかる建築物においては、壁面が耐力パネルによって補強されていることから、耐震強度は大幅に向上する。しかも上記本考案にかかる耐力パネル取付金物は、所定のヤング率を有する材料、特に金属材料、更に望ましくは黄銅（真鍮）を用いて形成していることから、横揺れなどに対しては、一定の力で抵抗しながらも変形することができ、これにより制振効果を発揮することができる。更に、耐力パネルを設置する耐力パネル取付金物は、その設置幅を狭くすることができるのであるから、既存の木舞壁の様に、壁の厚さが薄い場合であっても設置することができ、これにより、見た目においては既存の状態を保持しながらも、耐震強度を向上させた木舞壁を形成することができる。
【考案の効果】
【００２５】
上記本考案にかかる耐力パネル取付金物を使用することにより、耐力パネルを設ける柱間の領域が薄い場合、即ち壁厚が薄い場合であっても耐力パネルを設置することができる。特に、この耐力パネル取付金物は、その設置領域を狭くすることができるのであるから、既存の木舞壁のように薄い壁の内部に耐力パネルを設置した場合であっても、壁面を柱から突出させずに収めることができる。
【００２６】
また本考案にかかる耐力パネル取付金物は、一定のヤング率を有する材料で形成していることから、軸組構造体の変形に際しては、耐力を保ちながら一定の範囲まで変形できる様に耐力パネルを保持することができる。その結果、自身等の様な横方向（水平方向）の変形に対しては、耐力パネル取付金物自体が一定の抵抗を以って変形することができるようになり、耐力パネルの設置部分に対して力が集中するのを阻止し、柱、土台、貫等を破損させるおそれを少なくすことができる。
【００２７】
そして本考案にかかる耐力パネル取付金物は、狭い幅で形成されている事から、細い柱に対しても設置することができ、それ故に、狭い柱の間に存在する木舞壁に対しても耐力パネルを納まり良く設置することができる。
【図面の簡単な説明】
【００２８】
【図１】第一の実施の形態にかかる耐力パネル取付金物の設置状態を示しており、（Ａ）斜視図、（Ｂ）端面図
【図２】第二の実施の形態にかかる耐力パネル取付金物の設置状態を示しており、（Ａ）斜視図、（Ｂ）端面図
【図３】第三の実施の形態にかかる耐力パネル取付金物を示す、（Ａ）変形前の端面図（Ｂ）変形後の端面図
【図４】実施例における耐力パネルの設置状態を示す、（Ａ）正面図、（Ｂ）Ｘ−Ｘ断面矢視図、（Ｃ）Ｙ−Ｙ断面矢視図
【図５】実験結果をグラフ
【図６】各試験体について、３回の押し引きの繰り返し試験を行い、破断した時の変形角を確認した実験結果を示すグラフ
【考案を実施するための形態】
【００２９】
以下、図面を参照しながら本考案にかかる耐力パネル取付金物の幾つかの例を具体的に示す。但し、本考案にかかる耐力パネル取付金物は、本実施の形態に限定されるものでは無く、考案の主旨を逸脱しない範囲内において適宜変更することができる。
【００３０】
図１は第一の実施の形態にかかる耐力パネル取付金物10の設置状態を示す（Ａ）斜視図、（Ｂ）端面図である。特にこの実施の形態にかかる耐力パネル取付金物10は、柱や土台に対して耐力パネル31を設置するのに適した形状に形成されており、長さ方向に直交する向きの断面が略「Ｌ」字状になるように形成されている。この実施の形態にかかる耐力パネル取付金物は、柱や土台などに対して固定される板状に形成された金物取付部12と、この金物取付部から立ち上がっている板状の耐力パネル取付部14とを備えて構成されており、それぞれの取付部には、ビス等の締結具を通すための孔部16が100ｍｍ間隔で形成されている。特に本実施の形態において、前記金物取付部にのみ孔部16を設け、耐力パネル取付部には孔部16を設けていないが、耐力パネル取付部には孔部16を設ける事を除外するものでは無い。
【００３１】
本実施の形態において、金物取付部12と耐力パネル取付部14とは黄銅（真鍮：ヤング率は11×105Ｎ/ｍｍ2）を用いて一体形成したものであり、約１．５ｍｍの厚さで形成している。また、金物取付部12の幅は２５ｍｍで、先端から１２．５ｍｍの位置に孔部16を設けている。一方で、耐力パネル取付部14は２２．５ｍｍの幅に形成している。
【００３２】
以上のように形成した図１の耐力パネル取付金物10を柱や土台33に設置する際には、金物取付部12と、柱又は土台33との間には、合板からなるパッキン材32を設けている。築年数が多い建築物に対して耐力パネル31を設置する際、柱や土台33が歪んでいる場合もある。そこでこの歪みを解消する為に、合板からなるパッキン材32を設置し、この耐力パネル取付金物10を安定して設置できるようにするものである。かかるパッキン材32は、金物取付部12とほぼ同じ幅に形成するのが望ましい。また、このパッキン材32は、柱や土台33の歪みや凹凸を解消できる程度の弾力性又は塑性を有するものであれば、合板以外の材料で形成しても良い。
【００３３】
また図２は、第二の実施の形態にかかる耐力パネル取付金物20の設置状態を示しており、（Ａ）斜視図、（Ｂ）端面図を示している。特にこの実施の形態にかかる耐力パネル取付金物20は、壁の中に存在する貫34に対して耐力パネル31を固定するのに適した耐力パネル取付金物20である。この図に示す耐力パネル取付金物20は、長さ方向に直交する向きの断面形状がハット形金物の形状を有しており、金物取付部22を断面略「コ」字状に形成し、その先端部から外側に曲折するようにして耐力パネル取付部24を形成している。
【００３４】
この図２に示す耐力パネル取付金物20は、厚さ１．５ｍｍの黄銅（真鍮）で一体形成したものであり、コ字状に形成した金物取付部の底面は、内寸１３５ｍｍで、深さ２０ｍｍ、そして耐力パネル取付部20の幅は３５ｍｍに形成している。またコ字状に形成した金物取付部の底面には、３００ｍｍ間隔でビスを取り付けるための孔部26を形成し、側面には１０ｍｍの深さ位置に、１００ｍｍ間隔でビスを取り付けるための孔部26を形成している。
【００３５】
この図２に示した耐力パネル取付金物20を貫34に設置する際にも、金物取付部22の側面と貫34との間には、合板からなるパッキン材32を設けている。このパッキン材を設けることにより、歪んだ貫34との間の隙間を埋めて、当該耐力パネル取付金物20を確実に固定することができる。
【００３６】
図３は、第三の実施の形態にかかる耐力パネル取付金物40を示す、（Ａ）変形前の端面図、（Ｂ）変形後の端面図である。この実施の形態にかかる耐力パネル取付金物40は、特に金物取付部42と耐力パネル取付部44との間に、任意に伸長できる緩衝部43を設けている。特に本実施の形態において、この緩衝部43は蛇腹状に湾曲させた部分として形成している。このような緩衝部43を設ける事により、壁面に対して必要以上の力や歪みが生じた場合には、この緩衝部43が伸長し、その力や歪みを吸収することができる。よって、この耐力パネル取付金物40を柱、貫又は土台、或いは耐力パネル31に対して取り付けている締結部材35（ビスなど）に作用する力が減じられ、耐力パネル31の固定や歪みの緩衝を確実に達成することができる。なお、このような緩衝部43を設けた耐力パネル取付金物40にあっては、弾性変形可能な材料、例えばバネ鋼などで形成する事もできる。
【実施例１】
【００３７】
〔試験目的〕
本実施例では、前記図１及び図２に示した耐力パネル取付金物で耐力パネルを固定し、一辺に加えた荷重とせん断変形量との関係を調べ、どこまで耐えられるかを調べた。これにより、変形に対するエネルギーを吸収しながらも変形に追従できる耐震要素の効果と、変形量を確認し、実用性を確かめる事を目的として行った。
【００３８】
〔試験概要〕
（財）日本住宅・木材技術センターが発行する「木造軸組工法住宅の許容応力度設計(2008年版)」に準拠して行った。
試験体として、厚さ１２ｍｍの構造用合板（日本農林規格：１級）を耐力パネル31として使用した。そして、この耐力パネル31を、図４に示すように、桁材51、柱材52、土台53、貫54からなる周辺材に対して、前記図１及び図２に示した耐力パネル取付金物10,20で固定して試験体を形成した。そして、桁材51に対して、その長さ方向に荷重を付加し、その時の力（荷重）と、せん断変形量を確認した。
【００３９】
せん断変形量は、土台53の高さ方向の中心から桁材51の高さ方向中心までの距離を１０３０ｍｍとし、桁材51の高さ方向中心における水平方向への移動距離から算出した。即ち当該移動量が１０ｍｍである場合には、変形角は１０／１０３０であり、１／１０３となる。よって変形角が１／３０とは、桁材51の高さ方向中心における水平方向への移動距離が３４．３ｍｍであり、また１／１５とは、桁材51の高さ方向中心における水平方向への移動距離が６８．６ｍｍである。
【００４０】
そしてこの実験は、正確性を期する為に、同様の試験体を３体（試験体１〜３）用意して、各試験体について実験を行った。その結果を、以下の表１に示すと共に、その結果をグラフにして図５に示す。
【００４１】
【表１】
0003193167.tif 000003
【００４２】
また図６は、各試験体について、３回の押し引きの繰り返し試験を行い、破断した時の変形角を確認した実験結果を示している。何れの試験体でも約１／１５の変形角で破断しており、換言すれば、本実施の形態にかかる耐力パネル取付金物により耐力パネルを設置する事で、約１／１５の変形角まで耐える事ができる事が確認された。
【産業上の利用可能性】
【００４３】
上記本考案にかかる耐力パネル取付金物は、既存の薄い壁に対しても耐力パネルを設置することができ、よって新築やリフォームを問わず、様々な建築分野で使用することができる。
【符号の説明】
【００４４】
10,20,40    耐力パネル取付金物
12,22,42    金物取付部
14,24,44    耐力パネル取付部
16,26    孔部
31    耐力パネル
32    パッキン材
33    土台
34    貫
35    締結部材
43    緩衝部
51    桁材
52    柱材
53    土台
54    貫
【図１】
0003193167.tif 000004
【図２】
0003193167.tif 000005
【図３】
0003193167.tif 000006
【図４】
0003193167.tif 000007
【図５】
0003193167.tif 000008
【図６】
0003193167.tif 000009